(57)【特許請求の範囲】
【請求項１】
ロック(１０)により閉鎖されるバンドにより、物品を結束する結束工具であり、工具本体（１）の前面に設けられ、少なくとも工具本体（１）に可動状態で保持されたクランプパーツ(５)の一部により構成される巻き付きクランプ（４）と、上記ロックを保持するロックマウント(９)と、上記巻き付きクランプ（４）に案内にされると共にロック（１０）に挿通される上記バンドを引っ張る引張デバイスと、上記巻き付きクランプ（４）の開放と上記引張デバイスによる上記バンドの引っ張りを制御する制御デバイスとを備えるものにおいて、
上記引張デバイスによる上記バンドの引張時に、物品がロックマウントに引き寄せられるか、それとは逆に、ロックマウントを備える工具本体が物品に引き寄せられるようになっており、
上記制御デバイスは、バンドの引っ張りが完了する前に、巻き付きクランプ（４）を開放すると共に、巻き付きクランプ（１４）の前方への突出部の一部を引き込むように構成され、かつ
上記クランプパーツ（５）は、外向きに回動可能であると共に２個の被案内部（１８，１９）を備え、これらの被案内部（１８，１９）は工具本体（１）に設けられた軌道（２２，２３，２４）に案内されることを特徴とする結束工具。
【請求項２】
上記巻き付きクランプ（４）は、上記ロックマウント（９）から測った突出部（１６）の少なくとも半分が引き込み可能であることを特徴とする請求項１に記載の結束工具。
【請求項３】
上記巻き付きクランプ(４)は、少なくとも上記クランプパーツ（５）の最大開放幅の１／４を引き込み可能であることを特徴とする請求項１又は請求項２に記載の結束工具。
【請求項４】
上記被案内部（１８，１９）のうちの一方の被案内部（１８）を案内する軌道はステアリング部材（２０）により規定され、前記ステアリング部材（２０）の一端に前記一方の被案内部（１８）が連結され、前記ステアリング部材（２０）の他端（２１）が工具本体に回動可能に支持され、第２の被案内部（１９）を案内する軌道は上記工具本体（１）に設けられた摺動案内（２３，２４）からなることを特徴とする請求項１に記載の結束工具。
【請求項５】
上記２個の被案内部は、それぞれ他端が工具本体（１）に回動可能に支持された別個のステアリング部材の一端にそれぞれ連結されていることを特徴とする請求項１に記載の結束工具。
【請求項６】
上記クランプパーツ(５)は、少なくとも１個の被案内部（１８，１９）が配置された基部（２５）と、この基部（２５）に対して交換可能に連結されると共に、上記巻き付きクランプ(４)のバンドガイド部を設けたパーツ(２７)とを備えることを特徴とする請求項１から請求項５のいずれか１項に記載の結束工具。
【請求項７】
可撓性のバンドで、物品（１２）を結束する結束装置であり、上記物品（１２）を支持構造物に固定するための固定ラグ（７）と、請求項１から請求項６のいずれか１項に記載の結束工具とを備え、該結束工具は、工具本体（１）に可動状態で保持されたクランプパーツ（５）の少なくとも一部に、物品（１２）の周囲に上記バンドを案内するための巻き付きガイドを形成し、かつ上記固定ラグ（７）は上記物品（１２）と共に上記バンドで結束されるものにおいて、
上記クランプパーツ（５）の自由端（４９）は、閉鎖位置にあるときに、固定ラグ(７)に隣接し、固定ラグ(７)が上記巻き付きガイドの一部を形成することを特徴する結束装置。
【請求項８】
上記固定ラグ（７）は、上記クランプパーツ（５）の自由端（４９）を上記固定ラグ（７）の高さ方向に上記固定ラグ（７）に対して位置決めするための突起（６９）を備えることを特徴とする請求項７に記載の結束装置。
【請求項９】
上記固定ラグ（７）は上記バンドを挿通するためのバンド開口（５５）を備え、上記クランプパーツ（５）の自由端（４９）に、閉鎖状態でそれらの間に固定ラグ（７）を把持する少なくとも一対の指部（６４）が設けられ、上記バンド開口（５５）の方向を横切る方向に測った上記固定ラグ（７）の幅（６６）がこれらの指部（６４）相互間の隙間空間（６５）よりも僅かに小さく、バンド開口（５５）の方向に測った上記固定ラグ（７）の幅（６７）がこれらの指部（６４）相互間の隙間空間（６５）よりも大きいことを特徴とする請求項７又は請求項８に記載の結束装置。
【請求項１０】
クランプパーツ（５）を固定ラグ（７）へ導くガイド面（４６，５２）を有するガイドデバイスを備えることを特徴とする請求項７から請求項９のいずれか１項に記載の結束装置。
【請求項１１】
上記ガイドデバイス（４３）は、ケーブルハーネス（１２）の配索板(４２)に固定されると共に、固定ラグ（７）の着座部（６０）を備えることを特徴とする請求項１０に記載の結束装置。
【請求項１２】
上記着座部（６０）及び固定ラグ（７）は、完全ロック状態で固定ラグ（７）を上記ガイドデバイス（４３）に向けるための手段（６２，６３）を備えることを特徴とする請求項１１に記載の結束装置。
【請求項１３】
上記結束工具のロックマウント（９）はクランプパーツ（５）により形成される巻き付きガイド内に移動可能であることを特徴とする請求項７から請求項１２のいずれか１項に記載の結束装置。
【請求項１４】
上記結束工具の上記制御デバイス（９）は、引っ張り中に生じるバンドにより形成されるループの縮径を補償するようにロックマウント（９）を移動させることを特徴とする請求項１３に記載の結束装置。
【発明の詳細な説明】
【０００１】
【発明の属する技術分野】
本発明は、特にワイヤハーネスのような物品を、ロックにより閉鎖されるバンドによって結束する結束工具に関するものである。この結束工具は、工具本体の前部に、巻き付きクランプを備えており、この巻き付きクランプは、少なくとも部分的に、工具本体に移動可能に保持されたクランプパーツと、ロックマウントから構成されている。また、上記ロックによって上記巻き付きクランプ内を案内される上記バンドを引っ張る引張デバイスと、上記巻き付きクランプを開放すると共に、上記バンドを引っ張る制御デバイスとが設けられている。
【０００２】
【従来の技術及び発明が解決しようとする課題】
この種の公知の工具（ＥＰ０４２８１１６，ＵＳＰ４３７１０１０，ＵＳＰ３９７６１０８）では、クランプパーツは、一つの関節点によって工具本体に対して回動可能に直接支持されているが、他の関節点では、開放及び閉鎖移動を生じさせる駆動要素に係合している。開放時には、クランプパーツは、結束される物品が挿入可能である円弧の側部まで回動する。巻き付きクランプが結束される物品の周囲で閉鎖され、この状態では、巻き付きクランプは、物品の周囲に巻き付けられるバンドのための閉鎖ガイドを構成する。
【０００３】
他の公知の結束工具（ＵＳＰ３８１０４９８）では、非常に大きな物品が巻き付きクランプ間に位置し、巻き付きクランプを完全に閉鎖することができない状況では、巻き付きクランプは完全に閉鎖される必要はない。この場合、完全には閉鎖されないようなバンドのガイドが有用である。バンドは物品の周囲のガイド内を案内される。バンドを結束するためのロックは、バンドの後端から分離したパーツであっても、一体的に連結されたものであってもよい。遅くとも、巻き付きの過程の最後に、バンドの後端がロックマウントに受容される。次に、バンドの先端が、ロックに設けられた開口を挿通するように案内され、引張デバイスにより把持される。引張時には、バンドが物品上に配置される。この場合、物品がロックマウントに向けて引っ張られるか、物品が固定されているのであれば、ロックマウントを備える結束工具が物品に向けて引っ張られる。これは、工具本体から突出するクランプパーツのための十分な空間が物品の向こう側にあることが前提となっている。
【０００４】
しかしながら、多くの場合、物品の向こう側の周辺には、障害物が位置している。このような障害物としては、例えば、支持構造にその一部が連結された固定ラグに対して物品を固定するためにバンドを供給する場合の支持構造がある。この場合、工具本体から突出するクランプパーツが支持構造に衝突し、結束工具を物品に向けて引っ張ることが妨害される。それどころか、物品をロックマウントに向けて引っ張る力が物品に作用する。この場合は、物品が所定位置から外れるという不都合な結果が生じ、それによって物品自体又は物品を所定位置に保持するための固定ラグが破損してしまう。
【０００５】
さらに、上記引張過程中にロックマウントが工具本体から離れる方向、すなわち、結束される物品に向けて移動する結束工具が知られている（ＵＳＰ３６２１８８９）。この結束工具では、結束される物品を所定位置に保持する要素が破損する危険性を低減できるが、ロックマウントが物品に対して完全に近付くことができないため、結束過程の後も、バンドが所望の締付張力を有しないという問題が生じる場合がある。
【０００６】
上記公知の結束工具では、しばしば、コストのかかる余分な手作業が必要となる。本発明は、これらの不都合を解消することを目的としている。
【０００７】
【課題を解決するための手段】
本発明は、外向きに回動して工具本体から突出したクラプパーツが、遅くともバンドの引っ張り中に物品の向こう側の領域から離れる場合にも、何ら問題なく、物品の結束を行うことができるものである。これを可能とするために、本発明では、バンドを引っ張る前又はその最中にラウンドラップクランプが開放された場合に結束工具を利用可能とし、かつ、前方側の閉鎖位置ではラウンドラップクランプの突出部の一部を引き込み可能としている。公知の工具では、開放のためのクランプパーツの回動運動が、クランプパーツを主として側部へ導き後方への移動成分がわずかである円弧によって制限されるのに対して、本発明の工具では、後方への移動が横方向の移動を上回るか、この横方向の移動の後に後続する。
【０００８】
巻き付きクランプは、その横方向の移動に対して十分な長さだけ引き込まれる。その結果、物品が結束されるだけでなく、あらゆる場合に、何ら問題なく、物品が同時に固定マウントに対して連結される。また、例えば支持構造のような障害物のごく近傍にある物品を、クランプパーツをこれらの障害物に対して衝突させることなく結束することができる。さらに、その結果、本発明によれば、非常に限定された空間での結束が可能となる。
【０００９】
巻き付きクランプは、前方方向の閉鎖位置であるときの突出部の一部を引き込み可能であり、少なくとも、突出部の１／２を引き込み可能であることが好ましい。この場合、突出部はロックマウントから測定される。また、最大開放幅の１／４が引き込み可能であることが好ましく、この最大開放幅の１／２が引き込み可能であることがさらに好ましい。
【００１０】
上記開放動作は、引張デバイスよるバンドの把持が開始されると直ちに行うことができる。これに対して、引き込み動作は、クランプの最も幅の狭いパーツ、すなわち一般に巻き付きクランプの先端が、結束される物品の輪郭の周りで十分広範囲に案内されるように、開放動作と同期する必要がある。このため、少なくとも物品の幅よりも大きい幅まで巻き付きクランプが開放するまで、強い引張動作が生じないようにすることが要求される。
【００１１】
本発明の好適な実施形態では、回動可能なクランプパーツに、工具本体の所定の軌道に沿って案内される２個の関節点が設けられる。上記所定の軌道を適切に設定することにより、クランプを所望の過程で進行するように制御することができる。このようなガイド軌道に設定するために有効な設計としては、１個の関節点を、他端が工具本体に回動可能に連結されるステアリングギアの一端に配置することがある。このガイドのための軌道は、円弧状に設定される。ラウンドラップガイドを構成するクランプパーツの移動は、他の軌道の形状にも依存するため、このことはラウンドラップガイドを構成するクランプパーツが円弧に沿って移動する必要が意味するものではない。上記他のガイド軌道は、結束工具に連結されたステアリングギアから構成されるものであってもよい。他の実施形態では、このガイド軌道は、工具本体に設けられた摺動ガイドと、これと協働する摺動部材からなる。この場合、摺動部材は第２の関節点に連結される。
【００１２】
結束工具を断面積及び長さの異なるバンドに使用する場合には、巻き付きクランプを交換する必要がある。公知の結束工具の場合、工具本体に対して回動可能かつ動力伝達可能に接続されたクランプを取り外し可能とすることにより、これを実現している。これは本発明についても同様である。しかしながら、付加的なガイド接続が設けられているため、これを実現するのは、一般に煩雑である。従って、本発明では、クランプパーツの全体を交換可能とするのではなく、クランプパーツが、交換可能な前部と、交換不可能であって少なくとも関節点と動力伝達部とが設けられた基部とを備えている。
【００１３】
さらに、クランプパーツの自由端に固定ラグの確実なロック部を設けることが好ましい。この場合、固定ラグは巻き付きガイドの一部を構成する。これにより固定ラグの領域へ巻き付きガイドが円滑に通過し、巻き付き中にこの位置でバンドの通過が遮られるおそれがない。さらに、固定ラグが、物品と対向する側部に、クランプパーツが固定ラグ上で閉鎖されたときに、クランプパーツの反対側と係合する少なくとも１個の突起を設けることが好ましい。この突起により、好ましくない動作の結果、結束過程中に、閉鎖状態にある結束工具の固定ラグに対する確実な案内接続が解除されるのを防止することができる。この目的のため、クランプパーツの自由端の少なくとも一方が、一対の指部を備えており、この指部は閉鎖状態で、その間に固定ラグを把持すると共に、横方向に配置された１個又は複数個の突起の反対側に係合する。しかし、相互接続を保証するクラプ端部及び固定ラグと協働する他の確実なロック要素を設けてもよい。例えば、クランプ端部に設ける突起は、ラグに設けた凹部に変更することができる。このようなラグの凹部の全体又は一部を、固定ラグに設けたバンド開口により構成してもよい。
【００１４】
これは、固定ラグが支持構造に据え付けられる場合に特に重要である。特に、クランプパーツの自由端が交換可能である場合には、自由端を確実なロック接続で連結をすることが好ましい。この場合、異なる固定ラグに対して、個々の固定ラグに適合した確実なロック接続部を備える交換可能な異なるクランプパーツの前部を設けることができる。
【００１５】
上記のように少なくとも１個のクランプパーツの自由端が固定ラグを把持する一対の指部を備える場合には、本発明の他の特徴によれば、異なる方向の固定ラグの幅は、指部がクランプパーツにおける巻き付きガイドを構成するバンドの開口と直列に配置された状態の場合にのみ、指部の間に収容されるように設定される。そのため、バンドの開口の方向に対して横方向の固定ラグの幅は、指部の間の隙間空間よりも僅かに小さいか、最大でもこれと等しく設定され、バンドの開口の方向と平行な方向の固定ラグの幅は指部の間の隙間空間よりも大きく設定されている。
【００１６】
クランプパーツが巻き付きガイドを閉鎖する終端位置に到達したときにのみ、巻き付き過程が開始されるようにした結束工具が知られている。この特徴は、特に、クランプの端部と固定ラグの確実なロックに適している。必要であれば、クランプパーツは、固定ラグと確実にロック状態で協働するまでその終端位置に到達せず、これにより、結束工具に対して固定ラグが正規の位置となっているときにのみ巻き付き過程が開始されることが保証される。
【００１７】
固定ラグに対する結束工具の配置を確実にするために、固定ラグは、固定ラグに向かうクランプパーツのためのガイド面を有するガイドデバイスに対して取り外し可能に連結される。ケーブルハーネス等の結束される物品を保持する配索板を使用する場合には、上記ガイドデバイスは、配索板上に固定されると共に、固定ラグのマウントを備えるか、このような固定ラグのマウントを構成する。これによって、結束される物品に対する固定ラグの位置が正確に規定されるだけでなく、物品がその後に取り付けられる支持構造の固定デバイスに対して正確に位置決めされる。案内デバイス及びバンドの方向に対して所望の方向を向く位置にあるときにのみ、固定ラグがマウントに対して接続されるようにすることができる。この目的のため、固定ラグを形成する固定要素と固定ラグに設けられたマウントとに、確実なロック状態で協働する方向付け手段を設けてもよい
【００１８】
引き込み可能なクランプ部材に加えて又はこれに代えて、引っ張り中に工具本体から離れ、結束される物品の方向に移動するロックマウントを設けてもよい。この場合、ロックマウント及びそれに保持されたロックの導入により起こるバンドのループの縮径が、引張デバイスにより移送されるバンドの自由端の長さよりも小さくならないように、ロックマウントの導入が適切に制御される。しかし、ロックマウントの導入は受動的に実行されるものであってもよい。すなわち、ロック及びロックマウントは、それら自体が駆動されることなく、バンドを引っ張ることにより起こるバンドのループの縮径によって前進するものであってもよい。クランプの開放及び引き込みは、ロックマウントの先端が工具本体から離れた位置に到達するまで起こらないのが適当であり、ロックマウント又はロックマウントに保持されたロックが結束される物品の近傍に到達するまでに起こることが好ましい。クランプ部材の開放及び引き込み動作をなくすことが可能である。この実施形態の利点は、運動学はロックマウントが長手方向に等距離移動することを全く要求していないため、ロックマウントの導入は簡単な方法で実行できるということにある。クランプ部材は閉鎖されているため、少なくとも引張過程の開始時に、クランプの端部が構造物又は固定要素に載っていれば、工具本体は、容易に案内されかつ正確に位置決めされる。
【００１９】
【発明の実施の形態】
次に、図面に示す実施形態に基づいて本発明を詳細に説明する。
【００２０】
結束工具は、ピストル状のハンドル２を備えており、このハンドル２には結束過程を開始するための解放ボタン３が設けられている。この結束工具は、公知のように、駆動モータと、特に、巻き付きクランプ４の移動及びバンドの引っ張りを含む結束工具の種々の機能を制御する制御デバイスとを備えている。
【００２１】
前後に延びる工具本体１の前端面には、巻き付きクランプ４が配置されている。この巻き付きクランプ４は、主として工具本体１に可動状態で支持された２個のクランプパーツ５から構成されている。また、工具本体１又はこの工具本体１に連結されたパーツにより、６で示す領域に巻き付きガイドが形成されている。これに加えて、閉鎖位置にあるクランプパーツ５と隣接する固定ラグ７（図５及び図１１から図１４参照）等の他の部品が上記の巻き付きガイドの形成に関与していてもよい。巻き付きガイドは、クランプパーツ５の溝８を備えている。
【００２２】
その自由端が工具本体１の前部から前方に現れるバンドは、溝８により結束される物品の周囲に案内され、工具本体１の前部に戻る。工具本体１の前部には、破線で示されたロック１０の輪郭として図示されたロックマウント９が設けられている。ロック１０はバンドの先端１１を受容する。バンドの先端１１は、引張デバイス（図示せず。）に挿入され、この引張デバイスは結束される物品の周囲にバンドを締め付ける。このとき、物品がロックマウント９に引き寄せられるか、それとは逆に、ロックマウント９を備える工具が物品に引き寄せられる。図２及び図３にこの状態が図示されている。
【００２３】
結束されるケーブルハーネス１２は、結束工具近傍（図面上、奥側）に位置するデバイス１３により壁１４の前面に狭い隙間をあけて保持されており、巻き付きクランプ１４が閉鎖されたときにケーブルハーネス１２はロックマウント９から離れている。ケーブルハーネス１２がデバイス１３に固定保持される一方、壁１４に当接する巻き付きクランプ４によってケーブルハーネス１２への結束工具の接近が防止されるため、有害な力が作用しない限り、ケーブルハーネス１２はこの位置からロックマウント９に引き寄せられない。従って、本発明によれば、図３に示すように、バンドを引っ張る前、又は少なくともバンドを引っ張っている間は、巻き付きクランプ１４を形成するクランプパーツ５が引き込まれる。この状態では、工具本体１はケーブルハーネス１２に近付くことができる。これに必要な変更を加えれば、図８及び図９に示すように、ケーブルハーネス１２が配索板４２上に配置されている場合に適用することができる。
【００２４】
クランプパーツ５の前端が、例えばロックマウント９の前部１５まで、あるいはその後方まで引き込まれるれる程、クランプパーツ５の引き込み量が増大すると、実際の応用のための適切な隙間が形成される。クランプパーツ５を前方側への突出部１６がマイナスとなるまで引き込み可能であると、最小厚さの物品を十分結束することができる。前方側への突出部１６(図２に図示する。)は、ロックマウント９の前部から巻き付きクランプ１４の最突出位置までとして測定される。
【００２５】
本発明によれば、クランプパーツ５が引き込まれる範囲は、クランプパーツ５の開放幅と関連させることができる。そのクランプが環状軌道を案内される公知の結束工具の場合、開放移動の経路に対して引き込まれる範囲が比較的小さいため、このことは重要である。この点で、開放状態でのクランプの先端の開放幅が重要である。図１には、２個のクランプパーツ５のうちの一方の開放幅１７が図示されている。全開放幅は、この開放幅１７の２倍である。引き込み量は少なくとも全開放幅の４分の１とする必要がある。
【００２６】
クランプパーツ５には、開放移動の他に引き込みのための移動成分が作用する。図１に示す実施形態では、この移動成分は、各クランプパーツ５が備える工具本体１に対して固定配置された所定軌道上を案内される関節点１８，１９によりもたらされる。関節点１８は、ステアリングギア２０の一端に回動可能に配置されており、ステアリングギア２０の他端は工具本体１に２１で示す位置に回動可能に支持されている。従って、関節点１８のガイド軌道２２は円弧形状である。他方の関節点１９は、ガイド溝２３内を前進及び後退する摺動部材を備えている。クランプパーツ５は通常の方法で開放及び閉鎖される。例えば、ステアリングギア２０が往復旋回駆動機構に接続され、あるいは摺動部材を備える関節点１９が長手方向に移動する駆動機構に接続される。ガイド軌道２２及びガイド溝２３は互いに同形状であり、各クランプパーツ５の前端は、開放過程の最初に、結束される物品から離れるため横方向に移動し、次に、図１において２個のクランプパーツ５の一方の各段階を連続的に鎖線で図示するようにして後退する。
【００２７】
関節点のガイドは他のいかなる方法であってもよい。例えば、図示の実施形態における関節点１８と同様に、両方の関節点が円弧状のステアリングギアによりガイドされてもよい。他方、両方の関節点が摺動ガイドにガイドされてもよく、また、前方側の関節点１８が摺動ガイドに案内され、後方側の関節点１９がステアリングギアに設けられてもよい。
【００２８】
本発明には、結束工具は壁１４の前方に空間的に固定されているケーブルを結束できるという利点がある。図４及び図５の実施形態に示すように、ケーブルはラグに対して結束されていてもよい。異なる大きさのケーブルに対して結束工具を使用できるように、クランプパーツ５は分割可能に設計されている。図６に示すように、クランプパーツ５は、上記関節点１８，１９を含む後方基部２５を備えている。この後方基部２５は接続部２６において、取り外し可能な連結手段（図示せず）により、実際のラウンドラップガイド４を構成する交換可能な前部に接続されている。請求項７の特徴は、上位概念の請求項とは独立に保護するに値し得るものである。
【００２９】
ガイド軌道は異なる設計であってもよい。例えば、クランプガイドの最終移動段階での横方向の移動成分が図示のものより小さいことが要求される場合には、例えば、ガイド溝２３の輪郭を図１で鎖線２４で示すように後方に向かって外側に広がるようにしてもよい。
【００３０】
図７にこの種の実施形態が図示されている。クランプパーツ３０は、それぞれ１個のガイド溝３３内のローラ３２により工具本体３１に保持されている。一方、クランプパーツ３０は関節点３４でステアリングギア３５によりガイドされている。このステアリングギア３５は、固定点３６まわりに回動可能に工具本体３１に支持されている。２個のステアリングギア３５は、対称移動するように、互いに相互係合する歯付き扇形部材３７により連結されている。この歯付き扇形部材３７の噛み合わせは、部分的な円形３８として示されている。開放移動のための駆動手段は、２個のステアリングギア３５のうちの一方の旋回シャフトと係合することが好ましい。
【００３１】
旋回移動の過程では、関節点３４は鎖線で示された扇形３９上を移動するが、ローラ３２はガイド溝３３内に保持される。旋回移動の段階Ｉから段階ＩＩＩが、クランプ先端及びローラ３２のそれぞれの位置を示すことにより、図７の左側に示されている。クランプ先端の引き込み経路は、横方向の移動経路よりも長い。すなわち、引き込み経路は開放幅の半分よりも大きい。
【００３２】
図７には、ロックマウント４０の前方に、破線で図示されたバンドのガイド溝を備える小型ブロック４１が図示されている。このガイド溝は、ラウンドラップクランプのガイド溝８に連通している。バンドの先端が小型ブロック４０に挿通された後、引っ張りの開始後又はそれと同時に、小型ブロック４０を旋回させて、引っ張り中はロックマウント４０を工具の前部１５の前部に位置させてもよい。
【００３３】
ケーブルハーネス１２は支持構造に対して直接的に固定されない場合もあるが、支持構造への取り付けの準備のために、ケーブルハーネス１２を適切な方法で配索板４２へ固定する場合がある（図８参照）。配索板４２上には結束するケーブルハーネス１２を受けるための複数のマウント４３が固定されている。これらのマウント４３は、結束のための予め定められた形状にケーブルハーネス１２を保持する。図９に示すように、マウント４３はＵ字形状であり、２本のリム４４間にくぼみでケーブルハーネス１２を受けるようになっている。
【００３４】
図９に示すように、個々のマウント４３は２つの壁部を備えており、そのうちの少なくとも一方、好ましくは両方が、ケーブルハーネス１２を受けるためのリム４４を備えている。これらの壁部の内側面４６は互いに対向しており、これらの間に両端に向かって幅が広がり中央部の幅が狭い溝４７が区画されている。この溝４７の最も幅が狭い位置での幅は、工具本体１の幅と一致するクランプパーツ５の自由端４９の幅４８よりもわずかに大きく設定されている。
【００３５】
図９に示すようにクランプパーツ５が開放位置にあれば、クランプパーツ５の開放幅は、ケーブルハーネス１２の厚みよりも大きく、クランプパーツ５をケーブルハーネス１２の周囲でマウント１３の溝４７へ降下させることができる。この場合、図１０に示すように、クランプパーツ５が僅かに傾いていれば、壁部４５の内側面４６とチャンネル４７の床面５２は、ガイド面として、図９及び図１０において矢印で示す方向のクランプパーツ５の閉鎖動作中、クランプパーツ５を図１１で示す正確な位置にガイドする。このように、マウント４３はクランプパーツ５の自由端４９のガイドデバイスを構成する。
【００３６】
固定ラグ７は、マウント４３の中央部に固定されている。固定ラグ７はバンドを挿通する通路であるバンド開口５５を備えるラグ部５４と、対向する端部が弾性反発皿５７により連結された脚部５６を備えている。この脚部５６は、ケーブルハーネスの取り付けの最終過程で、例えば壁１４のようなケーブルハーネスの支持構造物の孔に固定されるようになっている。そのため、脚部５６は、上記孔に圧入され、脚部５６を孔から抜こうとすると大きな抵抗となる環状保持歯を備えている。このとき、上記弾性反発皿５７は、固定ラグ７が不安定にならないように、保持構造の表面に押し付けられる。この脚部５６は例示に過ぎず、他の保持構造に置換することができる。
【００３７】
マウント４３は、溝４７の最も幅の狭い中央の床面５２に、固定ラグ７の脚部５６を固定するための孔６０を備えている。孔６０の大きさは、固定ラグ７０の脚部５６が取り付け過程中は孔６０に確実に保持されるが、ケーブルハーネス１２が完全に結束された後は、大きな力をかけることなく孔６０から取り外すことができるように設定されている。マウント４３に固定ラグ７をこのように配置することにより、クランプパーツ５の内側面に設けられたガイド溝８が直列状態でバンド開口５５と隣接するように、クランプパーツ５の自由端４９をラグ部５４へ移動させることができる。そのためには、バンド開口５５は、マウント４３の溝４７の方向に延びている必要がある。よって、固定ラグ７の脚部５６が少なくとも１個の長手方向の溝６２を備えると共に、この溝６２と適合する突起６３をマウント４３を取り付ける孔６０に設ける必要がある。取り付け用の孔６０には、互いに径方向に対向する２個の突起６３が設けられており、これと対応して、脚部５６は互いに径方向に対向する２個の溝６２が設けられている。
【００３８】
横方向のガイド面を構成するマウント４３の内側面４６は、クランプパーツ５の自由端４９を、固定ラグ７に対して内側面４６間の中央に確実に位置させる。この心出しにより、固定ラグ７をガイドデバイスであるマウント４３のみにより取り付けることができる。この心出しを不要とするためには、固定ラグ７に対して、クランプパーツ５の自由端４９を確実にロックすることが有用である。そのため、クランプパーツ５の自由端４９には一対の指部６４が設けら、指部６４の隙間空間６５がバンド開口５５を横切る方向のラグパーツ５４の幅６６とほぼ等しいかそれよりも僅かに大きい。その結果、指部６４間にラグ部５４が挿入されて心出しがなされる。
【００３９】
一方、バンド開口５５の方向と平行であるラグ部５４の幅６７は、指部６４間の幅６５よりも僅かに大きい。そのため、固定ラグ７は不適切な方向から指部６４の間に収容させることはできない。固定ラグ７が不適切な位置にあれば、クランプパーツ５を閉鎖することはできない。結束過程はクランプパーツ５が閉鎖された状態でなければ開始されないため、この場合には結束過程は開始されない。指部６４の間に形成される空間の深さ６８は、幅６７の約半分である。しかし、クランプパーツ５の２個の自由端４９の一方にのみ指部６４を設けてもよい。この場合、指部６４の長さは幅６７にほぼ等しく設定する。
【００４０】
図１２及び図１４に示すように、クランプパーツ５の自由端４９が高さ方向に正確にラグ部５４と隣接するように、ラグ部５４は、その上端縁にストリップ６９を備えている。このストリップ６９は、固定ラグ７の弾性反発皿５７又は他の突起と共に、クランプパーツ５の指部６４の高さとほぼ等しい中間空間を区画する。クランプパーツ５の端部と固定ラグ７は、横方向のみでなく、高さ方向にも確実にロックされるため、クランプパーツ５に設けられ、側部が５０で図示され、床部が５１で図示されるガイド溝８は、確実にバンド開口５５と隣接する。この場合、側部５０及び床部５１の境界の大きさはガイド溝８のそれよりも僅かに大きく、一般的に許容可能なずれがある場合でも、バンドが阻害されることなく挿通される。
【００４１】
工具と固定ラグ間が直接確実にロックされた例が図示されている。固定ラグ７がガイドデバイスであるマウント４３の補助のみにより取り付けられる場合には、このような確実なロックは、結束工具とマウント４３の間の間接的な確実なロックに置き換えることができる。
【００４２】
この例で説明した結束装置であれば、正規の位置に位置決めされた固定要素をさらに支持構造の保持開口に挿入すればよいため、ケーブルハーネスは固定要素に接続され、非常に単純な方法で取り付けられる。
【００４３】
導入ロックマウント９を備える結束工具の実施形態が図１６（Ａ）及び（Ｂ）に図示されている。図１６（Ａ）に示すように、ロックマウント９の引っ張りを開始すると、ロックマウント９は工具本体１に対して最も近接した位置となる。図１６（Ｂ）に示すように、自由端１１を前進させてバンドを引っ張ると、ロック１０及びロックマウント９は工具本体１からバンドのループに向かう。この場合、クランプパーツ５は依然として閉鎖状態である。このことは、引張過程中であっても、例えば、支持構造又は固定ラグと協働することにより、結束工具が一層容易に案内されるという利点となる。
【図面の簡単な説明】
【図１】  結束工具を示す概略側面図である。
【図２】  異なる機能設定の結束工具を示す側面図である。
【図３】  異なる機能設定の結束工具を示す側面図である。
【図４】  結束工具を使用してケーブルハーネスを固定ラグに対して密接させた状態を示す部分概略断面図である。
【図５】  結束工具を使用してケーブルハーネスを固定ラグに対して密接させた状態を示す部分概略断面図である。
【図６】  クランプパーツを示す部分側面図である。
【図７】  他の実施形態を示す部分概略側面図である。
【図８】  ケーブルハーネスの配索板を示す平面図である。
【図９】  他の実施形態における取付中のケーブルハーネスと結束工具の一部を示す縦断面図である。
【図１０】  結束工具のクランプパーツの一つの機能段階での平面図である。
【図１１】  結束工具のクランプパーツの他の機能段階での平面図である。
【図１２】  結束工具のクランプパーツと固定ラグを示す拡大平面図である。
【図１３】  結束工具のクランプパーツと固定ラグを示す拡大側面図である。
【図１４】  結束工具のクランプパーツと固定ラグを示す正面図である。
【図１５】  固定ラグの着座部への取付構造を示す部分断面図である。
【図１６】  （Ａ）及び（Ｂ）は可動ロックマウントを備える結束工具の実施形態を示す部分側面図である。
【符号の説明】
４  巻き付きクランプ
５  クランプパーツ
７  固定ラグ
９  ロックマウント
１０  ロック
１２  ケーブルハーネス
１６  突出部
１８，１９，３４，  関節点
２２  ガイド軌道
２３，２４  ガイド溝
４２  配索板
４３  マウント（案内デバイス）
６０  孔（着座部）
６２  溝（ガイド手段）
６３  突起（ガイド手段）
【図１】
0004159663.tif 000002
【図２】
0004159663.tif 000003
【図３】
0004159663.tif 000004
【図４】
0004159663.tif 000005
【図５】
0004159663.tif 000006
【図６】
0004159663.tif 000007
【図７】
0004159663.tif 000008
【図８】
0004159663.tif 000009
【図９】
0004159663.tif 000010
【図１０】
0004159663.tif 000011
【図１１】
0004159663.tif 000012
【図１２】
0004159663.tif 000013
【図１３】
0004159663.tif 000014
【図１４】
0004159663.tif 000015
【図１５】
0004159663.tif 000016
【図１６】
0004159663.tif 000017